(57)【要約】【課題】大規模駐車場で、自車の駐車位置を失念してしまう利用客に対し、駐車位置捜索のための情報を提供する。【解決手段】車両感知器が感知した時刻を管理記憶部に記憶する。検索部は入力された駐車券の入場時刻に基づいて当該時刻から一定の範囲の時刻に入場した車両を管理記憶部から検索する。印字装置は検索された車両の在庫感知時刻と車両感知器が設置された駐車位置のリストを印字して発行する。利用者はリストにより自車を探すことができる。検索部が検索する入場時刻は、事前精算機による場合は入場券により読み取ることにより得る。【選択図】  図1
2008003653.tif 000002
【特許請求の範囲】
【請求項１】
駐車車両を感知する車両感知器と、
前記車両感知器が感知した時刻を当該車両感知器毎に記憶する管理記憶部と、
入力された駐車券の入場時刻に基づいて当該時刻から一定の範囲の時刻に入場した車両を前記管理記憶部から検索する検索部と、
前記検索された車両の在庫開始時刻と車両感知器が設置された駐車位置のリストを印字して発行する印字装置とを備えたことを特徴とする駐車位置情報表示システム。
【請求項２】
駐車車両を感知する車両感知器と、
前記車両感知器が感知した時刻を当該車両感知器毎に記憶する管理記憶部と、
駐車券に磁気記録された入場時刻を読み取る事前精算機と、
前記事前精算機が読み取った入場時刻に基づいて当該時刻から一定の範囲の時刻に入場した車両を前記管理記憶部から検索する検索部と、
前記検索された車両の在庫開始時刻と車両感知器が設置された駐車位置のリストを印字して発行する印字装置とを備えたことを特徴とする駐車位置情報表示システム。
【発明の詳細な説明】
【技術分野】
【０００１】
本発明は、大規模駐車場で、自車の駐車位置を失念してしまう利用客に対し、駐車位置捜索のための情報を提供する駐車位置情報表示システムに関する。
【背景技術】
【０００２】
大規模駐車場において、利用客が自車の駐車位置を見失い、管理室に問い合わせがある場合があるが、現状では場内を見て回る以外に解決策がなかった。
従来この問題を解決するために、例えば、各駐車階のエレベータホールに駐車階を示す花や動物などのシンボルを印刷したカードを用意して、利用者に取得携行してもらい、帰着時にこのカードで駐車がわかるようにしているものがある。
【０００３】
しかし、カードを取らない利用客には依然無力であった。
【発明の開示】
【発明が解決しようとする課題】
【０００４】
解決しようとする課題は、大規模駐車場で、自車の駐車位置を失念してしまう利用客に対し、駐車位置捜索のための情報を提供するものである。
【課題を解決するための手段】
【０００５】
本発明は、請求項１においては、駐車位置情報表示システムに関し、駐車車両を感知する車両感知器と、前記車両感知器が感知した時刻を当該車両感知器毎に記憶する管理記憶部と、入力された駐車券の入場時刻に基づいて当該時刻から一定の範囲の時刻に入場した車両を前記管理記憶部から検索する検索部と、前記検索された車両の在庫開始時刻と車両感知器が設置された駐車位置のリストを印字して発行する印字装置とを備えたことを特徴とするものである。
【０００６】
請求項２に係る駐車位置情報表示システムは、駐車車両を感知する車両感知器と、前記車両感知器が感知した時刻を当該車両感知器毎に記憶する管理記憶部と、駐車券に磁気記録された入場時刻を読み取る事前精算機と、前記事前精算機が読み取った入場時刻に基づいて当該時刻から一定の範囲の時刻に入場した車両を前記管理記憶部から検索する検索部と、前記検索された車両の在庫開始時刻と車両感知器が設置された駐車位置のリストを印字して発行する印字装置とを備えたことを特徴とするものである。
【発明の効果】
【０００７】
請求項１に係る駐車位置情報表示システムによると、問い合わせがあると、利用者の駐車券の入場時刻に基づいて当該入場時刻から一定の範囲の時刻に入場した車両を管理記憶部から検索することができ、検索された車両の在庫開始時刻と駐車位置のリストを印字して発行して利用者に提供することかできる。
【０００８】
請求項２に係る駐車位置情報表示システムによると、事前精算機により問い合わせがあると、事前精算機が読み取った駐車券の入場時刻に基づいて当該入場時刻から一定の範囲の時刻に入場した車両を管理記憶部から検索することができ、検索された車両の在庫開始時刻と駐車位置のリストを印字して発行して利用者に提供することかできる。
【実施例１】
【０００９】
図１は、本発明に係る駐車位置情報システムの一実施例の機能構成図である。図１において、１０１は駐車場入り口に設置される駐車券発行機、１０２は駐車スペースの各車室の全てに設置される例えば超音波式の車室車両感知器、１０３は管理計算機、１０４は管理記憶部、１０５は入力機器、１０６は駐車場が備える事前精算機、１０７は検索部、１０８はプリンタである。
【００１０】
利用者の車両が駐車場入り口に来ると、入り口近傍に設置された図示しない入場側車両感知器が車両を感知し、駐車券発行機１０１は入場時刻として車両感知した現在時刻を印字および磁気記録して駐車券を発行する。
利用車両が駐車場内を進行して適当な車室に停車すると、各車室に設置された車室車両感知器１０２は入庫を感知する。車室車両感知器１０２は感知信号を管理計算機１０３に送る。管理計算機１０３では当該車室車両感知１０２からの特有の信号であることを識別して、当該発信元の車室車両感知器１０２について、在室フラグを立てるとともに、その感知信号受信時刻を駐車開始時刻として管理記憶部１０４に記憶する。管理記憶部１０４には車室車両感知器１０２が設置された車室の在室状況が記憶されるとともに、時系列的に在室状況を記憶する部分に順次感知開始時刻と当該車室車両感知器１０２の番号あるいは車室番号を所定期間分だけ記憶する。
【００１１】
利用者が駐車場に戻ろうとしたが、自車の位置を忘れた場合、利用者は例えば駐車場管理室に問い合わせをすると、保守者はその利用者が持っている駐車券に印字されている入場時刻を入力機器１０５から入力する。検索部１０７は、入力された入場時刻をキーに管理記憶部１０４の車室車両感知器１０２について記憶する記憶部分から当該入場時刻について一定時間範囲例えば入場時刻から１０分間に駐車開始となった車室（車室車両感知器）を検索し、該当した時間範囲に駐車した駐車位置として車室番号のリストを作成する。管理計算機１０３はこのリストをプリンタ１０８により印字発行する。駐車券発行機１０１における駐車券発行の駐車場入場時刻と、車室車両感知器１０２における駐車位置への感知時刻が近接していることに着目し、駐車券印字時刻に近接した時刻に車両感知となった車両感知器（駐車位置）を検索し、プリントアウトするから、利用者はこのリストにより自己の車両位置（駐車位置）を探すことができる。入り口混雑時には複数の車両がリストアップされるが、この場合は順次探すこととなる。図２にプリントアウトされたリストの例を示す。
利用者が車両を見つけて駐車場から退場すると、在室していた当該車室車両感知器１０２が否感知となり、前記管理記憶部１０４の各車室車両感知器について記憶する記憶部分にある在室フラグを消去するとともに、時系列的に在室状況を記憶する部分に順次否感知時刻と当該車室車両感知１０２の番号あるいは車室番号を所定期間分だけ追加記憶する。
【００１２】
利用者が駐車場に戻ろうとしたが、自車の駐車位置を忘れた場合、利用者が駐車料金を精算する際に、駐車券を事前精算機１０６に挿入すると磁気記録されている入場時刻を読み取り、その後、駐車位置案内ボタン１０６ａが押されると、入場時刻が管理計算機１０３に送られる。検索部１０７は、送られた入場時刻をキーに管理記憶部１０４の車室車両感知器１０２について記憶する記憶部分から当該入場時刻について一定時間範囲を検索し、該当した時間範囲の駐車車室のリストを作成する。管理計算機１０３はこのリストを事前精算機１０６に送る。事前精算機１０６はプリンタ１０６ｂによりレシートにリストを印字発行する。事前精算機１０６は「レシートをお取り下さい。」の音声メッセージを放送するか又は同様のメッセージを画面表示する。更に、精算が済んだことを確認後、挿入されている駐車券を返却する。利用者はこの発行されたリストにより自己の駐車位置を探すことができる。
【００１３】
上述では、事前精算機１０６は、利用者が自車の位置を忘れた場合に精算終了前に駐車位置案内ボタン１０６ａを押させたが、利用者が意識しない場合があるため、精算終了時に音声又は画面に、車両の位置を忘れた場合には位置捜索のサービスを受けられる旨の案内をし、そのときには駐車位置案内ボタン１０６ａを押すことを指示する。駐車位置案内ボタン１０６ａが押されると、挿入された駐車券に磁気記録されている入場時刻をキーにして、当該入場時刻について一定時間範囲を検索し、該当した時間範囲の駐車車室のリストを作成する。管理計算機１０３はこのリストを事前精算機１０６に送る。事前精算機１０６はプリンタ１０６ｂによりレシートにリストを印字発行する。事前精算機１０６は「レシートをお取り下さい。」の音声メッセージを放送するか又は同様のメッセージを画面表示する。精算が済んでいるから、挿入されている駐車券を返却する。利用者はこの発行されたリストにより自己の駐車位置を探すことができる。
あるいは、事前精算機１０６による精算後の駐車位置案内のための検索は、一度精算し駐車場に行ったときに駐車位置を忘れていたことに気づいた後であっても、再度事前精算機１０６に行き、駐車券を挿入した後、駐車位置案内ボタン１０６ａを押すことにより、同様の動作作用により、実現することができる。すなわち、挿入された駐車券についてすでに精算済みであることを磁気記録から読み出して知り、その後、駐車位置案内ボタン１０６ａが押されると、挿入された駐車券の入場時刻をキーにして、当該入場時刻について一定時間範囲を検索し、該当した時間範囲の駐車車室のリストを作成する。管理計算機１０３はこのリストを事前精算機１０６に送る。事前精算機１０６はプリンタ１０６ｂによりレシートにリストを印字発行する。事前精算機１０６は「レシートをお取り下さい。」の音声メッセージを放送するか又は同様のメッセージを画面表示する。精算が済んでいるから、挿入されている駐車券を返却する。利用者はこの発行されたリストにより自己の駐車位置を探すことができる。
【図面の簡単な説明】
【００１４】
【図１】駐車位置情報表示システムの一実施例の機能ブロック図である。
【図２】プリントアウトされたリストの例を示す。
【符号の説明】
【００１５】
１０１…駐車券発行機、１０２…車両感知器、１０３…管理計算機、１０４…管理記憶部、１０５…入力機器、１０６…事前精算機、１０７…検索部、１０８…プリンタ。
【図１】
2008003653.tif 000003
【図２】
2008003653.tif 000004